(57)【要約】【課題】検知対象である侵入者の動きに合わせて、光源の点灯（点滅）状態を変化させたり警報を出力したりすることにより、住居内にあたかも人（居住者）がいるように侵入者を威嚇する。【解決手段】センサライト１は、侵入者までの距離を測定可能である検知センサ５を備える。制御手段８は、検知センサ５からの信号にもとづき、侵入者までの距離を検出し、その距離に応じて、ランプ２Ａの点灯状態やサイレン３Ａの鳴動状態を決定し、ランプ駆動回路２Ｂやサイレン駆動回路３Ｂを介して、ランプ２Ａやサイレン３Ａを制御する。つまり、検知センサ３から侵入者までの距離に応じて、ランプ２Ａの点灯状態やサイレン３Ａの鳴動状態を変化させる。【選択図】  図１
2008310397.tif 000002
【特許請求の範囲】
【請求項１】
光源を有し前記光源の光を検知エリア全体に向けて照射して前記検知エリアを照明する照明部と、前記検知エリア内への侵入者の侵入を検知する検知センサとを備え、前記検知センサによる侵入者の侵入の検知により前記照明部は前記光源を点灯するセンサライトであって、
前記検知センサは、前記侵入者までの距離を測定する測距機能を有する構成とされ、
前記照明部は、前記検知センサからの信号を受け、前記検知センサから前記侵入者までの距離に応じて、前記光源の点灯状態を変化させる構成とされていることを特徴とするセンサライト。
【請求項２】
前記照明部は、前記検知センサから前記検知エリア内の前記侵入者の存在位置までの距離が短いほど、前記光源の点灯時の明るさを明るくすることを特徴とする請求項１記載のセンサライト。
【請求項３】
前記検知エリアは、前記検知センサからの距離に応じて、複数のエリアに区分され、
前記照明部は、前記検知センサから前記侵入者の存在位置までの距離を、前記侵入者がいずれのエリアに存在するかによって検知することを特徴とする請求項１または２記載のセンサライト。
【請求項４】
さらに、警報を出力する警報部と、前記照明部のみを動作可能とする通常モードと前記照明部及び警報部の両方を動作可能とする警戒モードとを切り替えるモード切替スイッチとを備えることを特徴とする請求項３記載のセンサライト。
【請求項５】
前記検知エリアは、前記検知センサからの距離に応じて、複数のエリアに区分され、
前記警戒モードにおいて、前記複数のエリアのうち前記検知センサに最も近いエリアに前記侵入者が存在する場合に、前記照明部は、前記光源を点滅又は点灯し、前記警報部は、警報を出力する構成とされていることを特徴とする請求項４記載のセンサライト。
【請求項６】
前記警戒モードにおいて、前記照明部は前記光源の点滅又は点灯を、前記警報部は警報の出力をそれぞれ、前記侵入者が前記検知エリア外に移動するまで継続することを特徴とする請求項５記載のセンサライト。
【請求項７】
周囲の明るさを検出する照度センサと、前記照度センサよりの信号を受け周囲の明るさである照度が一定値を超える場合に、前記照明部の動作を停止させる制御手段と、前記制御手段に連係され前記一定値を調整する調整手段とを備えることを特徴とする請求項１〜６のいずれかに記載のセンサライト。
【発明の詳細な説明】
【技術分野】
【０００１】
本発明は、センサライトに関するものである。
【背景技術】
【０００２】
従来より、センサライトとして、センサライト本体の検知エリア内に人（侵入者）が侵入すると、ライトが自動的に点灯するようにしたものは知られている（例えば、特許文献１参照）。
【０００３】
具体的には、図６に示すように、侵入者を検知する検知センサとして、一般的に焦電型赤外線センサ１０１が用いられる。この赤外線センサ１０１に、赤外線集光レンズ１０２を通じて赤外線が集められ、アンプ１０３で増幅されて、信号レベル判定回路１０４で、信号レベルがしきい値より大きいか否かで侵入者があるかどうかが判定され、信号レベルがしきい値より大きく侵入者ありと判定されると、侵入者検出信号がランプ駆動回路１０５に出力され、光源としてのランプ１０６が点灯される。このとき、照度センサ１０７よりの信号にもとづき、明るさ判定回路１０８が昼夜の別を判定し、信号レベル判定回路１０４に送られ、昼間におけるランプ１０６の点灯は停止される。
【特許文献１】特開平１０−１４４１３４号公報（段落０００８〜００１３及び図１，図２）
【発明の開示】
【発明が解決しようとする課題】
【０００４】
前述したセンサライトでは、侵入者が検知エリア内に侵入したことと、検知エリア内から出たこととを判定して、ランプ１０６の点灯・消灯を行っている。そのため、検知エリアが広いと、検知エリア内を単に通過しているに過ぎない場合にも、ランプ１０６が点灯することになる。
【０００５】
そこで、発明者は、センサライトの人体検知センサとして、そのセンサから侵入者までの距離を測定できる機能を有するものを用いれば、単に検知エリア内に侵入者が進入したかどうかだけでなく、センサライトに対し侵入者が近づいているか、遠ざかっているかを検知することができることに着目し、本発明をなすに至ったものである。
【０００６】
本発明は、検知対象である侵入者の動きに合わせて、光源の点灯（点滅）状態を変化させたり警報を出力したりすることにより、住居内にあたかも人（居住者）がいるように侵入者を威嚇することができるセンサライトを提供することを目的とするものである。
【課題を解決するための手段】
【０００７】
請求項１の発明は、光源を有し前記光源の光を検知エリア全体に向けて照射して前記検知エリアを照明する照明部と、前記検知エリア内への侵入者の侵入を検知する検知センサとを備え、前記検知センサによる侵入者の侵入の検知により前記照明部は前記光源を点灯するセンサライトであって、前記検知センサは、前記侵入者までの距離を測定する測距機能を有する構成とされ、前記照明部は、前記検知センサからの信号を受け、前記侵入者までの距離に応じて、前記光源の点灯状態を変化させる構成とされていることを特徴とする。
【０００８】
このようにすれば、侵入者が検知エリアに侵入したことを検出して、光源が点灯されるだけでなく、検知センサから侵入者までの距離に応じて、光源の点灯状態を変化させることで、住居内にあたかも人（居住者）がいるように侵入者を威嚇することができる。つまり、検知対象である侵入者の動きに合わせて、光源の明るさの変更、点滅などの威嚇行為をすることができ、住居内にあたかも人（居住者）がいるように威嚇することが可能となる。
【０００９】
請求項２に記載のように、前記照明部は、前記検知センサから前記検知エリア内の前記侵入者の存在位置までの距離が短いほど、前記光源の点灯時の明るさを明るくすることが望ましい。ここで、光源の明るさは、侵入者の存在位置までの距離が短くなるにつれて、連続的に徐々に明るくなるようにしてもよいし、段階的に明るくなるようにしてもよい。
【００１０】
このようにすれば、侵入者の存在位置までの距離が短くなり、侵入者が検知センサに近づくほど、光源の明るさが明るくなるので、住居内にあたかも人（居住者）がいて、光源の明るさを変化させているという印象を侵入者に与え、侵入者に対する威嚇効果を高めることができる。
【００１１】
請求項３に記載のように、前記検知エリアは、前記検知センサからの距離に応じて、複数のエリアに区分され、前記照明部は、前記検知センサから前記侵入者の存在位置までの距離を、前記侵入者がいずれのエリアに存在するかによって検知する構成とすることができる。
【００１２】
このようにすれば、いずれのエリアに侵入者が存在するかで、検知センサから侵入者の存在位置までのおおよその距離を簡単に検出することができる。
【００１３】
また、請求項４に記載のように、さらに、警報を出力する警報部と、前記照明部のみを動作可能とする通常モードと前記照明部及び警報部の両方を動作可能とする警戒モードとを切り替えるモード切替スイッチとを備える構成とすることも可能である。
【００１４】
このようにすれば、警戒モードで、照明部だけでなく警報部も動作可能とするので、威嚇行為として光源の点灯（点滅）と警報の出力とを併用することができ、侵入者に対する威嚇効果を高める上で有利である。
【００１５】
請求項５に記載のように、前記検知エリアは、前記検知センサからの距離に応じて、複数のエリアに区分され、前記警戒モードにおいて、前記複数のエリアのうち前記検知センサに最も近いエリアに前記侵入者が存在する場合に、前記照明部は、前記光源を点滅又は点灯し、前記警報部は、警報を出力する構成とされていることが望ましい。ここで、光源の点滅又は点灯は、１００％の明るさで点滅又は点灯することが威嚇する上で最も効果的であるが、必ずしもその必要はなく、例えば９０％や８０％の明るさで点滅又は点灯させるようにしてもよいのはもちろんである。
【００１６】
このようにすれば、前記検知センサに最も近いエリアに前記侵入者が存在する場合に、光源を点滅又は点灯し、さらに警報の出力も併用するので、侵入者に対する、高い威嚇効果を得ることができる。
【００１７】
請求項６に記載のように、前記警戒モードにおいて、前記照明部は前記光源の点滅又は点灯を、前記警報部は警報の出力をそれぞれ、前記侵入者が前記検知エリア外に移動するまで継続することが望ましい。
【００１８】
このようにすれば、検知センサに最も近いエリアに侵入者が一旦侵入すると、侵入者が検知エリア外に移動するまで、光源の点滅又は点灯と、警報の出力とが継続されるので、前記侵入者が検知エリア外に移動するまで、威嚇効果を発揮できる。
【００１９】
請求項７に記載のように、周囲の明るさを検出する照度センサと、前記照度センサよりの信号を受け周囲の明るさである照度が一定値を超える場合に、前記照明部の動作を停止させる制御手段と、前記制御手段に連係され前記一定値を調整する調整手段とを備える構成とすることができる。
【００２０】
このようにすれば、周囲の明るさである照度が一定値を超える場合には、制御手段にて照明部を制御して前記光源の点灯状態を変化させても、威嚇効果が少ないので、照明部の動作制御が停止される。また、調整手段によって前記一定値は、季節などの環境の変化に応じて調整することができる。
【発明の効果】
【００２１】
以上のように構成した本発明は、侵入者が検知エリアに侵入したことを検出して、光源が点灯されるだけでなく、検知センサから侵入者までの距離に応じて、光源の点灯状態を変化させることで、検知対象である侵入者の動きに合わせて、光源の点灯、点滅、警報の出力などの威嚇行為をすることができ、住居内にあたかも人（居住者）がいるよう威嚇行為を実行することができる。
【発明を実施するための最良の形態】
【００２２】
以下、本発明の実施の形態を図面に沿って説明する。
【００２３】
図１は本発明の一実施の形態であるセンサライトの制御系のブロック図、図２は検知エリアの説明図である。
【００２４】
図１に示すように、センサライト１は、光源としてのランプ２Ａを有しランプ２Ａの光を、扇形状の検知エリアＵ（図２参照）全体に向けて照射して検知エリアＵを照明する照明部２と、サイレン３Ａを有しサイレン３Ａ（警報）を鳴動させる警報部３とを備える。ここで、警報部３は、サイレンを検知エリアＵ全体に向けて鳴動させるようにしてもよいのはもちろん、検知エリアＵの周囲に報知するように鳴動させてもよい。また、住宅内で例えば居住者に報知するように鳴動させることもできる。
【００２５】
検知エリアＵは、センサライトからの距離つまり、センサライト１と人（侵入者）との距離（間隔）に応じて、近距離範囲、中距離範囲、遠距離範囲の３つに区画されている。つまり、図２に示すように、検知可能な左右を規制する左右の境界ラインＬ１，Ｌ２の間であってセンサライト１の位置を中心とする半径Ｒ１，Ｒ２（Ｒ２＜Ｒ１）の円弧ラインＡ，Ｂとで挟まれる「遠」エリアＵ１、境界ラインＬ１，Ｌ２の間であって半径Ｒ２，Ｒ３（Ｒ３＜Ｒ２）の円弧ラインＢ，Ｃとで挟まれる「中」エリアＵ２、境界ラインＬ１，Ｌ２と半径Ｒ３の円弧ラインＣとで囲まれる扇形状の「近」エリアＵ３の３つのエリアによって、検知エリアＵが構成される。
【００２６】
また、センサライト１は、周囲の明るさを検出する照度センサ４と、検知エリアＵ内への侵入者の侵入を検知するとともに前記侵入者の存在位置までの距離を測定する測距機能を有する検知センサ５とを備える。
【００２７】
また、照度センサ４および検知センサ５からの信号が増幅器６，７にて増幅され、マイクロコンピュータからなる制御手段８に入力される。制御手段８は、その照度センサ４からの信号にもとづき、照度が一定値を超える明るさであるかどうかを決定する明るさ決定手段８Ａと、検知センサ５からの信号にもとづき侵入者が検知エリアＵのうちいずれのエリアに存在しているかを決定するエリア決定手段８Ｂを備える。制御手段８は、エリア決定手段８Ｂからの信号を受け前記侵入者が存在するエリアに基づきランプ２Ａの点灯状態を決定する点灯状態決定手段８Ｃと、エリア決定手段８Ｂからの信号を受けサイレン３Ａの鳴動状態を決定する警報出力決定手段８Ｄとを備える。そして、点灯状態決定手段８Ｃや警報出力決定手段８Ｄからの信号が、ランプ駆動回路２Ｂやサイレン駆動回路３Ｂに出力され、ランプ２Ａの点灯状態やサイレン３Ａの鳴動状態が制御される。なお、明るさ決定手段８Ａには、前記一定値を調整するための調整ツマミ１０（調整手段）が電気的に連係されている。
【００２８】
つまり、制御手段８において、侵入者が存在しているエリアに基づき、ランプ２Ａをどのような状態で点灯あるいは点滅させるかや、サイレン３Ａをどのように鳴動させるかが決定される。この場合、明るさ決定手段８Ａからの信号により、周囲の明るさである照度が一定値を超えると、点灯状態決定手段８Ｃや警報決定手段８Ｄにおいてランプ２Ａの点灯状態やサイレン３Ａの鳴動状態の制御が停止される一方、一定値以下であると、点灯状態決定手段８Ｃや警報決定手段８Ｄにおいてランプ２Ａの点灯状態やサイレン３Ａの鳴動状態が制御される。つまり、照度が一定値を超えるほど明るいとき（例えば、昼間）にはランプ２Ａの点灯あるいは点滅が停止され、それの点灯・点滅が照度が一定値以下のとき（例えば夜間）のみ行われるようになっている。サイレン３Ａの鳴動も、明るさ決定手段８Ａからの信号により制御することができる。例えば、照度が一定値を超えるときにはサイレン３Ａの鳴動を停止したり、照度が一定値以下のときには一定値を超えるときより音量を小さくしたりすることもできる。前記一定値は、調整ツマミ１０によって、季節などの環境の変化に応じて調整することができる。
【００２９】
動作モードとしては、通常モードと、威嚇機能が付加された警戒モードとを有し、モード切替スイッチ９により、いずれのモードで動作させるかが選択される。なお、この実施の形態では、モード切替スイッチ９によるモード切替信号を、点灯状態決定手段８Ｃや警報出力決定手段８Ｄが受けて、通常モードであるか警戒モードであるかに応じて、図３に示すように制御されるか、図４に示すように制御されるかが決定されて、それぞれの制御が行われるようになっているが、制御手段８において、モード切替スイッチ８Ｄよりの信号を受けていずれのモードであるかを判定するモード判定手段を設け、このモード判定手段よりの信号を受けて、点灯状態決定手段８Ｃや警報出力決定手段８Ｄが、各モードに態様に応じて照明部２や警報部３を動作させるようにすることも可能である。
【００３０】
（通常モード）
(i)センサライト１の検知エリアＵ内に侵入者が侵入すると、それが検知センサ５より検知されて、ランプ２Ａが自動的に点灯する。なお、照度センサ４により検出される照度が一定値を超える場合には、ランプ２Ａを点灯させる動作を実行しても、威嚇効果が少ないので、その動作を停止させる。
【００３１】
(ii)侵入者がセンサライト１から遠距離範囲である「遠」エリアＵ１に存在する場合には弱点灯、「遠」エリアＵ１から「中」エリアＵ２に移動する場合には中程度の明るさの点灯、さらに「中」エリアＵ２から「近」エリアＵ３に移動する場合には１００％の明るさでの点灯状態となる。
【００３２】
(iii)上記(ii)の場合とは逆に、「近」エリアＵ３から「中」エリアＵ２、「中」エリアＵ２から「遠」エリアＵ３と、侵入者がセンサライト１から遠ざかるに連れて、明るさが弱まる。
【００３３】
具体的には、図３に示すように制御される。スタートすると、まず、「遠」「中」「近」エリアＵ１〜Ｕ３のいずれかに侵入者があるか否か（つまり検知エリアＵ内に侵入者が存在するか否か）が判定される（ステップＳ１）。いずれかのエリアに侵入者が存在すれば、続いて、侵入者の存在するエリアをチェックするために、検知センサ５の測距機能を利用して、侵入者は「遠」エリアＵ１内にいるか否かが判定される（ステップＳ２）。一方、侵入者がいずれのエリア内にもいない場合には、検知エリアＵ内に侵入者は存在しないので、ランプ２Ａを消灯して（ステップＳ３）、ステップＳ１に戻る。つまり、ランプ２Ａが点灯状態にあれば消灯し、点灯状態になけば、そのままステップＳ１に戻る。
【００３４】
ステップＳ２で、「遠」エリアＵ１内に侵入者がいないと判定されれば、ステップＳ４に移行して、侵入者が「中」エリアＵ２内にいるか否かが判定される。一方、侵入者は「遠」エリアＵ１内にいると判定されれば、弱程度の明るさでランプ２Ａを点灯して（ステップＳ５）、ステップＳ１に戻る。
【００３５】
ステップＳ４で、侵入者は「中」エリアＵ２内にいると判定されると、中程度の明るさでランプ２Ａを点灯して（ステップＳ６）、ステップＳ１に戻る。
【００３６】
ステップＳ４で、侵入者は「中」エリアＵ２内にいないと判定されれば、侵入者は「近」エリアＵ１内にいると考えられるので、１００％の明るさでランプ２Ａを点灯して（ステップＳ７）、ステップＳ１に戻る。
【００３７】
このように、ランプ２Ａの明るさを、侵入者が存在するエリアに応じて変化させるので、通常モードにあっても、住居内にあたかも人（居住者）がいるように侵入者を威嚇することができる。
【００３８】
（警戒モード）
この警戒モードにおいては、遠距離範囲である「遠」エリアＵ１に侵入者が存在する場合にはランプ２Ａを弱点灯し、「遠」エリアＵ１から中距離範囲である「中」エリアＵ２に侵入者が移動した場合にはランプ２Ａを強点灯する。さらに「中」エリアＵ２から「近」エリアＵ１に侵入者が移動した場合にはランプ２Ａを強点灯状態で点滅点灯とするのに加えて、警報としてのサイレン３Ａ（あるいは警報用ブザー）を鳴動し、視覚だけでなく、聴覚の面からも、侵入者を威嚇するようにする。また、侵入者が「近」エリアＵ１内に一旦侵入すると、検知エリアＵ外に侵入者が移動するまで、ランプ２Ａの点滅点灯とサイレン３Ａの鳴動は停止せず、威嚇行為を継続する。一方、侵入者が検知エリアＵから出ると、ランプ２Ａの点滅点灯とサイレン３Ａの鳴動は停止する。このように、ランプ２Ａとサイレン３Ａとを併用することで、通常モードより威嚇効果を高める。
【００３９】
具体的には、図４に示すように制御される。
【００４０】
スタートすると、通常モードの場合と同様に、「遠」「中」「近」エリアＵ１〜Ｕ３のいずれかに侵入者があるか否かが判定される（ステップＳ１１）。いずれかに侵入者があれば、続いて、侵入者は「遠」エリアＵ１内にいるか否かが判定される（ステップＳ１２）。一方、「遠」「中」「近」エリアＵ１〜Ｕ３のいずれかにも侵入者がいない場合には、ランプ２Ａが現在点灯状態にあるか否かが判定される（ステップＳ１３）。現在点灯状態にあれば、ランプ２Ａを消灯し（ステップＳ１４）、続いてサイレン３Ａが鳴動中であるか否かが判定される（ステップＳ１４）一方、現在点灯中でなければ、そのままステップＳ１５に移行する。ステップＳ１５でサイレン３Ａが鳴動中であれば、サイレン３Ａの鳴動を停止して（ステップＳ１６）、ステップＳ１に戻る一方、サイレン３Ａが鳴動中でなければ、そのままステップＳ１に戻る。
【００４１】
ステップＳ１２で、侵入者は「遠」エリアＵ１内にいないと判定されれば、ステップＳ１７に移行して、侵入者は「中」エリアＵ２内にいるか否かが判定される。一方、侵入者は「遠」エリアＵ１にいると判定されると、続いて侵入者は「遠」エリアＵ１以前に「中」エリアＵ２にいたか否かが判定される（ステップＳ１８）。侵入者は「遠」エリアＵ１以前に「中」エリアＵ２にいたのであれば、さらに侵入者は「中」エリアＵ２以前に「近」エリアＵ３にいたか否かが判定される（ステップＳ１９）一方、侵入者は「遠」エリアＵ１以前に「中」エリアＵ２にいたのでなければ、ランプ２Ａを弱の明るさでもって点灯させて（ステップＳ２０）、ステップＳ１に戻る。
【００４２】
また、ステップＳ１９の判定で、侵入者は「中」エリアＵ２以前に「近」エリアＵ３にいたのであれば、ランプ２Ａを１００％の明るさでもって点滅点灯させ（ステップＳ２１）、サイレン３Ａを鳴動させ（ステップＳ２２）、ステップＳ１に戻る。一方、侵入者は「中」エリアＵ２以前に「近」エリアＵ３にいたのでなければ、ステップＳ２０に移行する。
【００４３】
ステップＳ１７で、侵入者は「中」エリアＵ２内にいると判定されれば、侵入者は「中」エリアＵ２以前に「近」エリアＵ３にいたか否かが判定される（ステップＳ２３）。ステップＳ２３の判定で、侵入者は「中」エリアＵ２以前に「近」エリアＵ３にいたのでなければ、ランプ２Ａを１００％の明るさでもって点灯させ（ステップＳ２４）、ステップＳ１に戻る。一方、侵入者は「中」エリアＵ２以前に「近」エリアＵ３にいたのであれば、ランプ２Ａを１００％の明るさでもって点灯させて（ステップＳ２５）、サイレン３Ａを鳴動させ（ステップＳ２６）、ステップＳ１に戻る。
【００４４】
また、ステップＳ１７で、侵入者は「中」エリアＵ２内にいないと判定されれば、侵入者は「近」エリアＵ３にいるので、ランプ２Ａを１００％の明るさでもって点灯させて（ステップＳ２５）、サイレン３Ａを鳴動させ（ステップＳ２６）、ステップＳ１１に戻る。
【００４５】
なお、この警戒モードにおいても、通常モードの場合と同様に、照度センサ４により検出される照度が一定値を超える場合には、ランプ２Ａを点灯させる動作を実行しても、威嚇効果が少ないので、その動作を停止させることも可能である。この場合には、サイレンの出力による威嚇のみが行われる。
【００４６】
前述したところの測距機能を有し侵入者を検知する検知センサとしては、図５（ａ）に示すように、検知範囲（測距範囲）が鋭角θ１である赤外線式あるいはレーザ式の検知センサ５Ａと、図５（ｂ）に示すように、検知範囲が鈍角θ２（＜θ１）である電波式あるいは超音波式の検知センサ５Ｂとがある。この実施の形態では、電波式あるいは超音波式のものを用いているが、赤外線式あるいはレーザ式のものに、測距方向を可変できるスキャン機能を付加して用いることも可能である。
【００４７】
本発明は、次のように変更することも可能である。
【００４８】
(i)前記実施の形態では、検知エリアＵを、センサライト１からの距離（半径Ｒ１，Ｒ２，Ｒ３）に応じて３つの「遠」「中」「近」エリアＵ１〜Ｕ３に分割しているが、さらに細かく、４つ以上のエリアに分割することも可能である。ただし、その場合には、それに応じて検知センサの分解能も高め、測距機能を高める必要がある。
【００４９】
(ii)また検知エリアＵの各エリアＵ１〜Ｕ３を、左右の境界ラインＬ１，Ｌ２と半径Ｒ１〜Ｒ３の円弧ラインＡ〜Ｃとで区画して構成しているが、例えば、検知エリア内で玄関などへの通路が形成されている部分と、その他の部分とで前記円弧の半径を変更することも可能である。つまり、前記その他の部分からの侵入者は不審者である可能性が高いと考えられるので、円弧ラインは、通路が形成されている部分の方がその他の部分よりも半径を小さくし、円弧ラインは前記通路が形成されている部分はセンサライト１側に突出している形状となる。
【００５０】
(iii)前記実施の形態では、侵入者がセンサライトに近づくにつれて、つまり侵入者のセンサライト１からの距離が遠距離範囲、中距離範囲、近距離範囲と変化するにつれてランプ２Ａが徐々に明るくなるようにしているが、逆に段々と暗くなり、近距離範囲、中距離範囲、遠距離範囲と変化するにつれて段々明るくするようにすることも可能である。このようにしても、住居内にあたかも人（居住者）がいるように侵入者を威嚇することができるからである。
【００５１】
(iii)センサライトに最も近いエリアである「近」エリアＵ３でサイレン３Ａを鳴動させるだけでなく、他のエリアでもサイレンを鳴動させるようにしてもよい。この場合、距離に応じて、警報（サイレン）の鳴動方法（例えば音量、音色）等を変えるように、細かく制御することもできる。また、ランプ２Ａも、点灯状態（例えばランプの明るさ）だけでなく、点滅状態（例えば点滅の間隔）も変化させることができる。
【００５２】
(iv)サイレン２Ａに代えて、ブザーを用いることも可能である。また、ランプ２Ａ、サイレン３Ａ以外のものを、侵入者までの距離に応じて制御することも可能である。例えば防犯カメラなどの外部機器を有する場合には、近距離範囲である「近」エリアＵ３に侵入者が侵入したときに、防犯カメラなどの外部機器が、ランプ２Ａの点灯やサイレン３Ａの鳴動に合わせて作動するようにすることも可能である。
【００５３】
(v)前記実施の形態では、警報部３やモード切替スイッチ９は、センサライト１として一体化されているが、警報部３やモード切替スイッチ９を除く部分をセンサライト本体１Ａ（図１鎖線参照）として一体化し、警報部３やモード切替スイッチ９を別体としてセンサライト本体１Ａとは離れた場所（例えば、住居内）に配置することも可能である。
【００５４】
(vi)住宅の玄関等に設置して利用するほか、侵入禁止地帯などに設置して、ランプの点灯・点滅とサイレンの鳴動との併用による威嚇によって、第三者の進入を禁止する機能を発揮させるようにして利用することも可能である。
【図面の簡単な説明】
【００５５】
【図１】本発明の一実施の形態であるセンサライトの制御系のブロック図である。
【図２】検知エリアの説明図である。
【図３】通常モードにおける制御の流れを示すフローチャート図である。
【図４】警戒モードにおける制御の流れを示すフローチャート図である。
【図５】（ａ）（ｂ）はそれぞれ検知センサの説明図である。
【図６】従来例についての図１と同様の図である。
【符号の説明】
【００５６】
１    センサライト
１Ａ    センサライト本体
２    照明部
２Ａ    ランプ（光源）
３    警報部
５    検知センサ
５Ａ    サイレン
８    制御手段
８Ａ    明るさ決定手段
９    モード切替スイッチ
１０    調整ツマミ（調整手段）
Ｕ    検知エリア
Ｕ１    「遠」エリア
Ｕ２    「中」エリア
Ｕ３    「近」エリア
【図１】
2008310397.tif 000003
【図２】
2008310397.tif 000004
【図３】
2008310397.tif 000005
【図４】
2008310397.tif 000006
【図５】
2008310397.tif 000007
【図６】
2008310397.tif 000008